(57)【要約】【課題】ビス固定による不都合を回避または軽減することが可能なエスカレータのインナーデッキの固定機構を提供する。【解決手段】インナーデッキ１０１のスカートガード１０４側の端部に、スカートガード１０４の上部と係合する第１の係合部と、スカートガード１０４の上部に、第１の係合部と係合する第２の係合部と、ロック操作により第１の係合部と第２の係合部とを係合させてインナーデッキ１０１をスカートガード１０４に係止し、アンロック操作により第１の係合部と第２の係合部との係合を解除してインナーデッキ１０１をスカートガード１０４から取り外し可能にするロック操作機構とを有するエスカレータのインナーデッキ１０１の固定機構が提供される。【選択図】図３
2007302429.tif 000002
【特許請求の範囲】
【請求項１】
乗客を乗せて移動するステップの側部に隣接するスカートガードの上部と、前記ステップの側方に立設する欄干の下部との間を覆うエスカレータのインナーデッキの固定機構において、
前記インナーデッキのスカートガード側の端部に、前記スカートガードの上部と係合するように備えられた第１の係合部と、
前記スカートガードの上部に、前記第１の係合部と係合するように備えられた第２の係合部と、
ロック操作により前記第１の係合部と前記第２の係合部とを係合させて前記インナーデッキを前記スカートガードに係止し、アンロック操作により前記第１の係合部と前記第２の係合部との係合を解除して前記インナーデッキを前記スカートガードから取り外し可能にするロック操作機構と、
を有することを特徴とするエスカレータのインナーデッキの固定機構。
【請求項２】
請求項１に記載のエスカレータのインナーデッキの固定機構において、
前記第１の係合部は、
ロック操作を受けるロック操作部と、
前記ロック操作部に一端が連結された略コ字状の第１の係合部材と、
を備え、
前記第２の係合部は、
前記ロック操作部の下方に位置し、前記欄干方向に延びる第２の係合部材、
を備え、
前記ロック操作部に対するロック操作により、前記第１の係合部材は回転し、当該第１の係合部材の他端部が前記第２の係合部材の下方に移動することにより、前記第１の係合部材が前記第２の係合部材に係合して前記インナーデッキが前記スカートガードに係止し、
前記ロック操作部に対するアンロック操作により、前記第１の係合部材は回転し、当該第１の係合部材の他端部が前記第２の係合部材の下方から移動することにより、前記第１の係合部材が前記第２の係合部材から係合を解除して前記インナーデッキが前記スカートガードから取り外し可能となること、
を特徴とするエスカレータのインナーデッキの固定機構。
【請求項３】
請求項１または２に記載のエスカレータのインナーデッキの固定機構において、
前記第１の係合部は、
前記インナーデッキのスカートガード側の端部と協働して前記スカートガードの上部を着脱可能に把持する板ばね、
を備えることを特徴とするエスカレータのインナーデッキの固定機構。
【請求項４】
請求項１〜３に記載のエスカレータのインナーデッキの固定機構において、
前記第１の係合部と、前記第２の係合部とが係合しているか否かを検出する検出手段と、
前記検出手段による検出結果を出力する結果出力手段と、
を備えることを特徴とするエスカレータのインナーデッキの固定機構。
【発明の詳細な説明】
【技術分野】
【０００１】
本発明は、エスカレータのインナーデッキの固定機構に関する。
【背景技術】
【０００２】
従来、エスカレータは、図７に示すように乗客が乗る移動踏み段１００の側部に、上部フレーム１０２を覆うスカートガード１０４が設けられている。スカートガード１０４は、上部をビス１０５によって上部フレーム１０２に固定されている。また、移動踏み段１００の側方には上部フレーム一体、または別体のトラス１０６が設けられている。このトラスの上面には乗客の安全を確保するための欄干１０７が立設されている。
【０００３】
そして、略平行に立設するスカートガード１０４と欄干１０７との隙間を覆うようにインナーデッキ１０１が配置されている。このインナーデッキ１０１は下端部がビス１０３によって上部フレーム１０２に固定され、上端の折り返し部がトラス１０６に固定された略コ字状の目地ゴム１０８に係合している。
【０００４】
上述のようなインナーデッキ１０１は、図８に示すエスカレータの斜視図から明らかなように移動踏み段１００に沿って配置され、複数のビス１０３によって固定されている。
【０００５】
【特許文献１】特開平１０−１７２５４号公報
【発明の開示】
【発明が解決しようとする課題】
【０００６】
しかし、エスカレータは定期的な点検作業を必要とする。特に、内部機構の点検を行うためにインナーデッキ１０１がしばしば取り外される。その都度ビス１０３の抜き取り、締結が繰り返される。ビス１０３はエスカレータの駆動による振動や乗客の乗降による振動等により緩み抜け落ちしてしまう場合があった。
【０００７】
また、図６に示すように、インナーデッキ１０１の固定には複数のビスを使用するため、インナーデッキ１０１の着脱作業に手間がかかると共に、ビスの締結ミスの可能性も増大するという問題があった。
【０００８】
本発明は、上記問題に鑑みてなされたものであり、本発明の目的とするところは、ビス固定による不都合を回避または軽減することが可能なエスカレータのインナーデッキの固定機構を提供することにある。
【課題を解決するための手段】
【０００９】
本発明によれば、乗客を乗せて移動するステップの側部に隣接するスカートガードの上部と、上記ステップの側方に立設する欄干の下部との間を覆うエスカレータのインナーデッキの固定機構において、上記インナーデッキのスカートガード側の端部に、上記スカートガードの上部と係合するように備えられた第１の係合部と、上記スカートガードの上部に、上記第１の係合部と係合するように備えられた第２の係合部と、ロック操作により上記第１の係合部と上記第２の係合部とを係合させて上記インナーデッキを上記スカートガードに係止し、アンロック操作により上記第１の係合部と上記第２の係合部との係合を解除して上記インナーデッキを上記スカートガードから取り外し可能にするロック操作機構とを有することを特徴とするエスカレータのインナーデッキの固定機構が提供される。
【００１０】
上記第１の係合部は、ロック操作を受けるロック操作部と、上記ロック操作部に一端が連結された略コ字状の第１の係合部材とを備え、上記第２の係合部は、上記ロック操作部の下方に位置し、上記欄干方向に延びる第２の係合部材を備え、上記ロック操作部に対するロック操作により、上記第１の係合部材は回転し、当該第１の係合部材の他端部が上記第２の係合部材の下方に移動することにより、上記第１の係合部材が上記第２の係合部材に係合して上記インナーデッキが上記スカートガードに係止し、上記ロック操作部に対するアンロック操作により、上記第１の係合部材は回転し、当該第１の係合部材の他端部が上記第２の係合部材の下方から移動することにより、上記第１の係合部材が上記第２の係合部材から係合を解除して上記インナーデッキが上記スカートガードから取り外し可能としてもよい。
【００１１】
上記第１の係合部は、上記インナーデッキのスカートガード側の端部と協働して上記スカートガードの上部を着脱可能に把持する板ばねを備えてもよい。
【００１２】
さらに、上記第１の係合部と、上記第２の係合部とが係合しているか否かを検出する検出手段と、上記検出手段による検出結果を出力する結果出力手段とを備えてもよい。
【発明の効果】
【００１３】
以上説明したように本発明によれば、エスカレータのインナーデッキの固定機構において、ビス固定による不都合を回避または軽減することができる。
【発明を実施するための最良の形態】
【００１４】
以下に添付図面を参照しながら、本発明の好適な実施の形態について詳細に説明する。なお、本明細書及び図面において、実質的に同一の機能構成を有する構成要素については、同一の符号を付して重複説明を省略する。
【００１５】
図１は、本発明の実施形態にかかるインナーデッキの固定機構を使用したエスカレータの斜視図である。
【００１６】
図１に示すように、エスカレータのインナーデッキ１０１は、乗客を乗せて移動するステップ１００の側部に隣接するスカートガード１０４の上部と、ステップ１００の側方に立設する欄干１０７の下部との間を覆うように設けられている。そして、インナーデッキ１０１のスカートガード１０４側の端部に、スカートガード１０４の上部と係合する第１の係合部が設けられ、スカートガード１０４の上部に、第１の係合部と係合する第２の係合部が設けられている。
【００１７】
図２は、インナーデッキ１０１をエスカレータのステップ１００の方向から見た正面図である。図２に示すように、インナーデッキ１０１のスカートガード１０４側の端部にロック鍵１が設けられ、ロック鍵１から左右に距離を置いた部分に、スカートガード１０４の裏面側に設置される上部フレーム１０２を把持する板ばね７がインナーデッキ１０１の裏面側に設けられている。スカートガード１０４の上部は、ビス１０５によって上部フレーム１０２に固定されている。
【００１８】
図３は、図２に示すインナーデッキ１０１を線分Ａ−Ａ'で切断した断面図である。従来のエスカレータと同様に、ステップ１００の側部では、スカートガード１０４がビス１０５によって上部フレーム１０２に固定され、スカートガード１０４と上部フレーム１０２による側壁部が形成されている。ステップ１００の側方には、トラス１０６上に固定された欄干１０７が立設されている。
【００１９】
そして、略平行に立設するスカートガード１０４と欄干１０７との隙間を覆うようにインナーデッキ１０１が配置されている。インナーデッキ１０１のスカートガード１０４側の端部に、ロック操作を受けるロック鍵１が設けられ、ロック鍵１に、一端が連結された略コ字状のロックバー２が設けられている。ロック鍵１は、図５に示すハンドル形状の専用キー８が挿入され専用キー８が回転させられると、連結されたロックバー２の一端面の垂直方向を回転軸として回転させるものである。
【００２０】
スカートガード１０４の裏面側には、ロック鍵１の下方に位置し、欄干１０７方向に延びるロックバー固定アングル６が、上部フレーム１０２に一体形成されている。また、インナーデッキ１０１の欄干１０７側の折り返し部１１０がトラス１０６に固定された略コ字状の目地ゴム１０８に係合している。
【００２１】
図４は、図２に示すロック鍵１周辺を拡大した拡大断面図である。ロック鍵１に対するロック操作により、ロックバー２は回転し、ロックバー２の他端部がロックバー固定アングル６の下方に移動することにより、ロックバー２がロックバー固定アングル６に係合してインナーデッキ１０１がスカートガード１０４に係止する。
【００２２】
また、ロック鍵１に対するアンロック操作により、ロックバー２は回転し、ロックバー２の他端部がロックバー固定アングル６の下方から移動することにより、ロックバー２は、ロックバー固定アングル６から係合を解除させられインナーデッキ１０１がスカートガード１０４から取り外し可能となる。
【００２３】
図６は、図２に示すインナーデッキ１０１を線分Ｂ−Ｂ'で切断した断面図である。インナーデッキ１０１のスカートガード１０４側の端部裏面側に、スカートガード１０４側の端部と協働して上部フレーム１０２を着脱可能に把持する板ばね７が設けられている。
【００２４】
以上のように構成されるインナーデッキ１０１を取り外す場合の手順を以下に示す。専用キー８をロック鍵１に挿入し回転させると、ロック鍵１と一体になっているロックバー２が回転してロックバー固定アングル６との係合が外れる。係合が外れた状態で、ロック鍵１に挿入した専用キー８のハンドル部分を持って、上に持ち上げることによりインナーデッキ１０１両端の板ばね７が上部フレーム１０２から外れる。さらに、インナーデッキ１０１の上端の折り返し部１１０を目地ゴム１０８から外す。
【００２５】
一方、インナーデッキ１０１を上部フレーム１０２に装着する場合は、まずインナーデッキ１０１の上端の折り返し部１１０を目地ゴム１０８に押し込み、専用キー８をロック鍵１に挿入してロックバー２とロックバー固定アングル６の位置を確認した後、インナーデッキ１０１を上部フレーム１０２方向に下ろし、インナーデッキ１０１両端の板ばね７を上部フレーム１０２に押し込み固定させる。そして、固定後、専用キー８を回転させてロックバー２と、ロックバー固定アングル６とを係合させ装着完了となる。
【００２６】
本実施形態ではさらに、インナーデッキ１０１の固定機構に、ロックバー２と、ロックバー固定アングル６とが係合しているか否かを検出するロック確認スイッチ３と、その検出結果を出力するブザー５とが設けられている。
【００２７】
図２に示すように、ロックバー２と、ロックバー固定アングル６とが係合する場合にスイッチが押下されるロック確認スイッチ３が上部フレーム１０２上に設けられている。さらに、欄干１０７方向に、エスカレータの稼動を制御する制御盤１０９が設けられ、制御盤１０９上に鳴動可能なブザー５が設けられている。ロック確認スイッチ３と、制御盤１０９とは、スイッチケーブル４を介してロック確認スイッチ３のスイッチ押下状態を通信する。
【００２８】
インナーデッキ１０１の装着状態では、ロックバー２と、ロックバー固定アングル６とが係合し、さらにロック確認スイッチ３のスイッチ押下状態はＯＮ状態となる。この場合、ロック鍵１の締め忘れはないため、制御盤１０９に設置されたブザー５は鳴動しない。
【００２９】
インナーデッキ１０１の取り外し時に、ロックバー２がロック確認スイッチ３のスイッチから外れてスイッチ押下状態がＯＦＦ状態になると制御盤１０９に設置されたブザー５が鳴動する。
【００３０】
しかし、定期的なインナーデッキ１０１の内部機構の点検時にブザー５が鳴動するのは不都合なため、鳴動をカットするための鳴動カット用トグルスイッチ（図示せず）が制御盤１０９に設けられている。ブザー５の鳴動は、インナーデッキ１０１装着時のロック鍵１の締め忘れ、つまりインナーデッキ１０１の固定の未完了を点検者に知らせる役割を担う。
【００３１】
なお、上記説明では、スカートガードの上部と係合する第１の係合部としてロック鍵１と、ロックバー２とを含むものを例示したが、当該第１の係合部は、他の態様であってもよい。
【００３２】
また、上記説明では、第１の係合部と係合する第２の係合部としてロックバー固定アングル６を例示したが、当該第２の係合部は他の態様であってもよい。
【００３３】
また、上記説明では、ロック操作により第１の係合部と第２の係合部とを係合させてインナーデッキをスカートガードに係止し、アンロック操作により第１の係合部と第２の係合部との係合を解除してインナーデッキをスカートガードから取り外し可能にするロック操作機構として、ロック鍵１に対するロック操作またはアンロック操作によってインナーデッキ１０１と、スカートガード１０４とを着脱可能にする機構を例示したが、当該ロック操作機構は他の態様であってもよい。
【００３４】
（効果）
本発明の実施形態によれば、乗客を乗せて移動するステップの側部に隣接するスカートガードの上部と、ステップの側方に立設する欄干の下部との間を覆うエスカレータのインナーデッキの固定機構は、インナーデッキのスカートガード側の端部に、スカートガードの上部と係合する第１の係合部と、スカートガードの上部に、第１の係合部と係合する第２の係合部と、ロック操作により第１の係合部と第２の係合部とを係合させてインナーデッキをスカートガードに係止し、アンロック操作により第１の係合部と第２の係合部との係合を解除してインナーデッキをスカートガードから取り外し可能にするロック操作機構とを有する。
【００３５】
この構成によれば、インナーデッキ１０１は、ロック操作機構によってスカートガード１０４に固定されるため、ビス固定による不都合を回避または軽減することができる。例えば、インナーデッキ１０１の着脱が、ビスを用いた場合と比べて容易になる。
【００３６】
また、本発明の実施形態によれば、第１の係合部は、ロック操作を受けるロック操作部と、ロック操作部に一端が連結された略コ字状の第１の係合部材とを備える。第２の係合部は、ロック操作部の下方に位置し、欄干方向に延びる第２の係合部材を備える。そして、ロック操作部に対するロック操作により、第１の係合部材は回転し、第１の係合部材の他端部が第２の係合部材の下方に移動することにより、第１の係合部材が第２の係合部材に係合してインナーデッキがスカートガードに係止する。また、ロック操作部に対するロック操作により、第１の係合部材は回転し、第１の係合部材の他端部が第２の係合部材の下方から移動することにより、第１の係合部が第２の係合部から係合を解除させられインナーデッキはスカートガードから取り外し可能となる。
【００３７】
この構成によれば、ロック操作部に対するロック操作によってインナーデッキ１０１の着脱を容易に行うことができる。
【００３８】
また、本発明の実施形態によれば、第１の係合部は、インナーデッキのスカートガード側の端部と協働してスカートガードの上部を着脱可能に把持する板ばねを備える。
【００３９】
この構成によれば、インナーデッキ１０１の固定を板ばね７によって補強することができる。
【００４０】
また、本発明の実施形態によれば、インナーデッキの固定機構は、第１の係合部と、第２の係合部とが係合しているか否かを検出する検出手段と、検出結果を出力する結果出力手段とを備える。
【００４１】
この構成によれば、インナーデッキを固定しているか否かを検出することが可能となり、その検出結果を出力することができる。例えば、保守点検時、保守点検者は、インナーデッキに対するロック操作忘れを防止することができる。
【００４２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００４３】
【図１】本発明の実施形態にかかるインナーデッキの固定機構を使用したエスカレータの斜視図である。
【図２】本発明の実施形態にかかるインナーデッキをエスカレータのステップの方向から見た正面図である。
【図３】図２のインナーデッキ１０１を線分Ａ−Ａ'で切断した断面図である。
【図４】図２のロック鍵１周辺を拡大して示す拡大断面図である。
【図５】ハンドル形状の専用キー８を示す説明図である。
【図６】図２のインナーデッキ１０１を線分Ｂ−Ｂ'で切断した断面図である。
【図７】従来のインナーデッキの固定機構を示す断面図である。
【図８】従来のインナーデッキの固定機構を使用したエスカレータの斜視図である。
【符号の説明】
【００４４】
１  ロック鍵、２  ロックバー、３  ロック確認スイッチ、５  ブザー、６  ロックバー固定アングル、７  板ばね、１００  ステップ、１０１  インナーデッキ、１０２  上部フレーム、１０４  スカートガード、１０７  欄干。
【図１】
2007302429.tif 000003
【図２】
2007302429.tif 000004
【図３】
2007302429.tif 000005
【図４】
2007302429.tif 000006
【図５】
2007302429.tif 000007
【図６】
2007302429.tif 000008
【図７】
2007302429.tif 000009
【図８】
2007302429.tif 000010